(57)【要約】    【課題】  二重容器は熱が伝わりにくく、温度変化が遅いことから、それ成りに使用されているが、その殆どは合成樹脂を用いているものであり、ガラス容器を二重にしたものはものであるが、分厚く重たく何の変哲もないために普及していない。    【解決手段】  本考案は、開口部を有した外側ガラス容器と内側ガラス容器とを一体化した透明又は半透明の二重ガラス容器であって、外側ガラス容器２と内側ガラス容器３との間の空隙部４に液状物５ａ、粒状物５ｂ、造形物５ｃを内装したもので、更に、外側ガラス容器２と内側ガラス容器３との側面又は底部に印刷又は塗布又は触刻又はシート状物の貼付により模様を形成したもので、更には、外側ガラス容器２の外側面に印刷又は塗布又は触刻又はシート状物の貼付により模様を形成したもので、加えて、内装物又は模様は示温物質を含有するものである。    【選択図】    図１
0003141508.tif 000002
【実用新案登録請求の範囲】
【請求項１】
夫々上方に開口部を有した外側ガラス容器と内側ガラス容器とを一体化した透明又は半透明の二重ガラス容器であって、前記外側ガラス容器の内側面と前記内側ガラス容器の外側面との間の底部を含む下方辺の空隙部に液状物を内装したことを特徴とする装飾性を有する二重ガラス容器。
【請求項２】
夫々上方に開口部を有した外側ガラス容器と内側ガラス容器とを一体化した透明又は半透明の二重ガラス容器であって、前記外側ガラス容器の内側面と前記内側ガラス容器の外側面との間の底部を含む下方辺の空隙部に流動可能な多数の粒状物を内装したことを特徴とする装飾性を有する二重ガラス容器。
【請求項３】
夫々上方に開口部を有した外側ガラス容器と内側ガラス容器とを一体化した透明又は半透明の二重ガラス容器であって、前記外側ガラス容器の内側面と前記内側ガラス容器の外側面との間の底部を含む下方辺の空隙部に遊動可能に造形物を内装したことを特徴とする装飾性を有する二重ガラス容器。
【請求項４】
夫々上方に開口部を有した外側ガラス容器と内側ガラス容器とを一体化した透明又は半透明の二重ガラス容器であって、前記外側ガラス容器と内側面と前記内側ガラス容器の外側面との側面又は底部に印刷又は塗布又は触刻又はシート状物の貼付の少なくとも一つにより模様を形成したことを特徴とする装飾性を有する二重ガラス容器。
【請求項５】
前記外側ガラス容器の外側面に印刷又は塗布又は触刻又はシート状物の貼付の少なくとも一つにより模様を形成したことを特徴とする請求項１〜４のいづれか一項に記載の装飾性を有する二重ガラス容器。
【請求項６】
前記内装物又は模様は示温物質を含有することを特徴とする請求項１〜５のいづれか一項に記載の装飾性を有する二重ガラス容器。
【考案の詳細な説明】
【技術分野】
【０００１】
本考案は、装飾性を有する二重ガラス容器に関するものであり、更に詳細には、カップ、徳利、デカンタ、急須等を外側ガラス容器と内側ガラス容器とを一体化した二重ガラス容器に形成して、外側ガラス容器と内側ガラス容器との間の空隙部に装飾性を持たすことにより意外性を演出する二重ガラス容器に関するものである。
【背景技術】
【０００２】
従来、この種の二重容器は各種開発され胴周又は底部が二重に成っているため熱が伝わりにくく、熱いものや冷たいものを収納しても温度変化が遅いことから、それ成りに使用されているが、その殆どは合成樹脂を用いているものであり、ガラス容器を二重にしたものはものであるが、分厚く重たく何の変哲もないために普及していない実情である。
【０００３】
例えば、内層が水を盛る容器となっている内コップ１０と、内コップ１０にはめ込める球形に似た透明な外コップ２０とを有し、内、外コップ１０、２０間に液体を充填できる空間１１をもち、外コップ２０の下端に内、外コップ１０、２０と異なる色彩をもつ底座３０をつけてもよい。内コップ１０の表面には各種の色彩の鮮美な図案１０１や文字をプリントしてもよく、そして内、外コップ１０、２０の間の充填液体内に活動物体をいれてもよく、外コップ２０の周縁は凸レンズに似た形状になっていて、図案１０１および充填液体中の活動物体が、拡大の原理によって拡大変形された面白い変化図案になることができ、極めて立体的な突出した透視視覚効果を有している。また、透徹って輝く飾り模様３１の立体次元的効果を現し、実用と装飾の効果を高めることができるもの（特許文献１参照）や、内層容器と外層容器とを空隙部を介して一体化した二重構造グラスであり、内層容器と外層容器の各々の壁面に、模様・記号・文字・色彩等の模様が表示されたディスプレイ機能を有する二重構造グラスにおいて、内層容器壁面の模様と外層容器壁面の模様とが、モチーフの関連性を有する二重構造グラス（特許文献２参照）等が開示されている。
【特許文献１】登録実用新案第３０４５１４７号公報
【特許文献２】登録実用新案第３１３１４４０号公報
【考案の開示】
【考案が解決しようとする課題】
【０００４】
然し乍ら、特許文献１に記載のものは、内コップ１０にはめ込める球形に似た透明な外コップ２０とを有し、内、外コップ１０、２０間に液体を充填できる空間１１を形成しているものであるが、外コップ２０の中に内コップ１０をはめ込んでいるもので、使用する際にはその都度セットしなければ成らず、又、使用後は洗浄のために分解しなければ成らず手間暇係るものであり、特許文献２に記載のものは、内層容器と外層容器の各々の壁面に、模様・記号・文字・色彩等の模様が表示されたディスプレイ機能を有し、模様がモチーフの関連性を有する二重構造グラスであるが、模様をシール材の貼着・融着・手書き・型絵による吹きつけにより形成し、モチーフ性を有しているものであるが単純なので利用されていない実情である。
【課題を解決するための手段】
【０００５】
前記課題に鑑み鋭意研鑚の結果、本考案の装飾性を有する二重ガラス容器は、開口部を有した外側ガラス容器と内側ガラス容器とを一体化した透明又は半透明の二重ガラス容器であって、外側ガラス容器の内側面と内側ガラス容器の外側面との間の底部を含む下方辺の空隙部に液状物、又は、流動可能な多数の粒状物、又は、遊動可能に造形物を内装したものであり、更に、外側ガラス容器の内側面と内側ガラス容器の外側面との側面又は底部に印刷又は塗布又は触刻又はシート状物の貼付の少なくとも一つにより模様を形成したものであり、更には、外側ガラス容器の外側面に印刷又は塗布又は触刻又はシート状物の貼付の少なくとも一つにより模様を形成したものであり、加えて、内装物又は模様は示温物質を含有するものである。
【考案の効果】
【０００６】
本考案の装飾性を有する二重ガラス容器は、外側ガラス容器の内側面と内側ガラス容器の外側面との間の下方辺の空隙部に液状物、又は、流動可能な多数の粒状物、又は、遊動可能に造形物を内装したことにより、二重ガラス容器の温度の変化や手でもって移動させることにより意外性のある演出をでき、更に、外側ガラス容器と内側面と内側ガラス容器の外側面との側面又は底部に印刷又は塗布又は触刻又はシート状物の貼付の少なくとも一つにより模様を形成し、更には、外側ガラス容器の外側面に印刷又は塗布又は触刻又はシート状物の貼付の少なくとも一つにより模様を形成したたことにより、立体感のある装飾が楽しめ、加えて、内装物又は模様は示温物質を含有することにより、温度による色の変化や温度の計測を可能とするもので、装飾性豊かな意外性を楽しめるもので、極めて有効な効果を有した実用性の高い考案である。
【考案を実施するための最良の形態】
【０００７】
以下、本考案の装飾性を有する二重ガラス容器の実施例を図面を用いて詳細に説明すると、図１は本考案の装飾性を有する二重ガラス容器の印刷又は塗布又は触刻又はシート状物の貼付をした実施例の側面図であり、図２は本考案の装飾性を有する二重ガラス容器の徳利型容器の実施例の側面図であり、図３は本考案の装飾性を有する二重ガラス容器の急須型容器の側面図であり、図４は本考案の装飾性を有する二重ガラス容器の印刷又は塗布又は触刻又はシート状物の貼付をした実施例の側面図であり、図５は本考案の装飾性を有する二重ガラス容器の流動可能な多数の粒状物を内装した実施例の側面図であり、図６は本考案の装飾性を有する二重ガラス容器の造形物を内装した実施例の側面図であり、図７は本考案の装飾性を有する二重ガラス容器の示温物質を内装した実施例の側面図であり、図８は本考案の装飾性を有する二重ガラス容器の液状物を内装した実施例の側面図である。
【０００８】
本考案は、装飾性を有する二重ガラス容器に関するものであり、更に詳細には、カップ、徳利、デカンタ、急須等を外側ガラス容器２と内側ガラス容器３とを一体化した二重ガラス容器１に形成して、外側ガラス容器２と内側ガラス容器３との間の空隙部４に装飾性を持たすことにより意外性を演出する二重ガラス容器１に関するものであり、請求項１に記載の装飾性を有する二重ガラス容器は、夫々上方に開口部を有した外側ガラス容器２と内側ガラス容器３とを一体化した透明又は半透明の二重ガラス容器１であって、前記外側ガラス容器２の内側面と前記内側ガラス容器３の外側面との間の底部を含む下方辺の空隙部４に液状物５ａを内装したことを特徴とするものである。
【０００９】
更に、請求項２に記載の装飾性を有する二重ガラス容器は、夫々上方に開口部を有した外側ガラス容器２と内側ガラス容器３とを一体化した透明又は半透明の二重ガラス容器１であって、前記外側ガラス容器２の内側面と前記内側ガラス容器３の外側面との間の底部を含む下方辺の空隙部４に流動可能な多数の粒状物５ｂを内装したのである。
【００１０】
更には、請求項３に記載の装飾性を有する二重ガラス容器は、夫々上方に開口部を有した外側ガラス容器２と内側ガラス容器３とを一体化した透明又は半透明の二重ガラス容器１であって、前記外側ガラス容器２の内側面と前記内側ガラス容器３の外側面との間の底部を含む下方辺の空隙部４に遊動可能に造形物５ｃを内装したことを特徴とするものである。
【００１１】
加えて、請求項４に記載の装飾性を有する二重ガラス容器は、夫々上方に開口部を有した外側ガラス容器２と内側ガラス容器３とを一体化した透明又は半透明の二重ガラス容器１であって、前記外側ガラス容器２と内側面と前記内側ガラス容器３の外側面との側面又は底部に印刷又は塗布又は触刻又はシート状物５ｄの貼付の少なくとも一つにより模様を形成したことを特徴とするものである。
【００１２】
更に、請求項５に記載の装飾性を有する二重ガラス容器は、請求項１〜４のいづれか一項に記載の装飾性を有する二重ガラス容器１において、前記外側ガラス容器２の外側面に印刷又は塗布又は触刻又はシート状物５ｄの貼付の少なくとも一つにより模様を形成したことを特徴とするものである。
【００１３】
更には、請求項６に記載の装飾性を有する二重ガラス容器は、請求項１〜５のいづれか一項に記載の装飾性を有する二重ガラス容器において、前記内装物又は模様は示温物質５ｅを含有するものである。
【実施例】
【００１４】
即ち、本考案の装飾性を有する二重ガラス容器の実施例は、図１に図示するように、外側ガラス容器２と内側ガラス容器３とは、夫々上方に開口部を有した透明又は半透明のガラス製のものであり、外側ガラス容器２に内側ガラス容器３を内装して開口部を溶着させることで一体化している二重ガラス容器１である。
【００１５】
本考案の装飾性を有する二重ガラス容器は、本出願人が二重ガラス容器１の製造方法として先に特願２００７−３１４８５１で特許出願した、内側ガラス容器３の開口部から下方への一定巾の開口縁部を外側ガラス容器２の開口部より突出させて、開口縁部の下端に外側ガラス容器２の開口部の内周端を溶着して胴部と底部とを二重としたもの、つまり、開口部を一重の薄く形成したものを使用しても構わないのは勿論のことである。
【００１６】
そして、液状物５ａは、図８に図示するように、外側ガラス容器２の内側面と内側ガラス容器３の外側面との間の底部を含む下方辺の空隙部４に充填するもので、色付きの熱伝導の少ない油等の液体を封入することにより、模様や変化を楽しむことができ、また、分離度の高い濃度の異なる複数の液体を封入することにより帯状層に成り、温度の変化により対流が発生し、幻想的な演出も表現でき、また、色の付いたジュース等を飲用するときには他の色の付いた液状物５ａを使用することにより、二重ガラス容器１の外側からの変化を楽しめるものである。
【００１７】
次に、多数の粒状物５ｂは、図５に図示するように、光沢のある流動可能なビーズ状のものや、粗い砂状のもので、外側ガラス容器２の内側面と内側ガラス容器３の外側面との間の底部を含む下方辺の空隙部４に充填しており、二重ガラス容器１を傾けるたびに流動して変化を楽しむものである。
【００１８】
次いで、造形物５ｃは、図６に図示するように、魚や他の動物、キャラクター等を形取った遊動可能なもので、外側ガラス容器２の内側面と内側ガラス容器３の外側面との間の底部を含む下方辺の空隙部４に内装しており、二重ガラス容器１を傾けるたびに造形物５ｃの遊動を楽しむものである。
【００１９】
更に、印刷又は塗布又は触刻又はシート状物５ｄの貼付は、二重ガラス容器１の外側ガラス容器２と内側面と内側ガラス容器３の外側面との側面又は底部にキャラクターや模様に実施するものであり、印刷５ｄはシルク印刷等の手段により実施するもので、塗布５ｄは手作業又は機械的な作業により実施できるものであり、触刻５ｄはサンドブラスト等の機械的な手段や薬品による化学的な手段により実施するもので、シート状物５ｄの貼付は予め製造しているキャラクター等のシールを貼付するもので、別々に製造した外側ガラス容器２と内側ガラス容器３とを一体化する前に実施するもので、二重ガラス容器１の外側ガラス容器２と内側面と内側ガラス容器３の外側面に実施しているため、一体化した後には飲用物や人の手に触れることがないので安全なものである。
【００２０】
つまり、図２に図示するように、川の流れ模様を外側ガラス容器２と内側面の側面に表示して、紅葉の模様を内側ガラス容器３の外側面の側面の川の流れ模様と同一位置に表示することにより、恰も川の流れに紅葉が流れているように立体的な演出できるものであり、更に、図４に図示するように、三日月模様を外側ガラス容器２と内側面の側面に表示して、数個の星の模様を内側ガラス容器３の外側面の側面に表示することにより、夜空の近くに輝く月と遠くで輝く星を演出できるものである。
【００２１】
次いで、印刷又は塗布又は触刻又はシート状物５ｄの貼付の少なくとも一つにより外側ガラス容器２の外側面に模様を形成するものであり、この場合は、洗浄等により水や持つ手に触れることから色落ちしないものや磨りガラスにした触刻が良好なものである。
【００２２】
更には、内装物又は模様は示温物質５ｅを含有するものであり、例えば、図３に図示するように、急須状の容器に内側ガラス容器３の外側面の側面に示温物質５ｅを含有させたインクで印刷したもので、お燗をするお酒の適温が表示できるようにしたもので、更に、図７に図示するものは、二重ガラス容器１に収納したお茶等の温度により示温物質５ｅにより色が変わることによりお茶等の温度を知ることができるものである。
【産業上の利用可能性】
【００２３】
本考案の装飾性を有する二重ガラス容器は、外側ガラス容器の内側面と内側ガラス容器の外側面との間の下方辺の空隙部に液状物、又は、流動可能な多数の粒状物５ｂ、又は、遊動可能に造形物を内装したことにより、二重ガラス容器の温度の変化や手でもって移動させることにより意外性のある演出をでき、更に、外側ガラス容器と内側面と内側ガラス容器の外側面との側面又は底部に印刷又は塗布又は触刻又はシート状物の貼付の少なくとも一つにより模様を形成し、更には、外側ガラス容器の外側面に印刷又は塗布又は触刻又はシート状物の貼付の少なくとも一つにより模様を形成したたことにより、立体感のある装飾が楽しめ、加えて、内装物又は模様は示温物質を含有することにより、温度による色の変化や温度の計測を可能とするもので、装飾性豊かな意外性を楽しめるカップ、徳利、デカンタ、急須等を二重ガラス容器を提供するものである。
【図面の簡単な説明】
【００２４】
【図１】図１は本考案の装飾性を有する二重ガラス容器の印刷又は塗布又は触刻又はシート状物の貼付をした実施例の側面図である。
【図２】図２は本考案の装飾性を有する二重ガラス容器の徳利型容器の実施例の側面図である。
【図３】図３は本考案の装飾性を有する二重ガラス容器の急須型容器の側面図である。
【図４】図４は本考案の装飾性を有する二重ガラス容器の印刷又は塗布又は触刻又はシート状物の貼付をした実施例の側面図である。
【図５】図５は本考案の装飾性を有する二重ガラス容器の流動可能な多数の粒状物を内装した実施例の側面図である。
【図６】図６は本考案の装飾性を有する二重ガラス容器の造形物を内装した実施例の側面図である。
【図７】図７は本考案の装飾性を有する二重ガラス容器の示温物質を内装した実施例の側面図である。
【図８】図８は本考案の装飾性を有する二重ガラス容器の液状物を内装した実施例の側面図である。
【符号の説明】
【００２５】
１      二重ガラス容器
２      外側ガラス容器
３      内側ガラス容器
４      空隙部
５ａ    液状物
５ｂ    粒状物
５ｃ    造形物
５ｄ    印刷又は塗布又は触刻又はシート状物
５ｅ    示温物質
【図１】
0003141508.tif 000003
【図２】
0003141508.tif 000004
【図３】
0003141508.tif 000005
【図４】
0003141508.tif 000006
【図５】
0003141508.tif 000007
【図６】
0003141508.tif 000008
【図７】
0003141508.tif 000009
【図８】
0003141508.tif 000010